(57)【特許請求の範囲】
【請求項１】
所定間隔をおいて配置される一対のベース上に、所定間隔をおいて一対の支柱がそれぞれ立設され、前記ベース間で対向する前記支柱の上方間にそれぞれ手摺り棒が平行に配置された歩行訓練用平行棒において、
前記支柱の上端と前記手摺り棒とが、屈曲部を有する上部補強部材を介して接続されて、前記ベース上に立設された前記一対の支柱の間隔が６２ｃｍ以上であり、前記一対の手摺り棒の間隔及び車椅子の最大幅よりも広く構成され、
前記ベースは前記手摺り棒の長さ方向における両端がテーパー状に形成されており、
前記手摺り棒の長手方向への前記車椅子の移動が自在である、ことを特徴とする歩行訓練用平行棒。
【請求項２】
前記上部補強部材は、金属棒から構成されることを特徴とする請求項１に記載の歩行訓練用平行棒。
【請求項３】
前記上部補強部材の両端が前記手摺り棒及び前記支柱に締結具を介してそれぞれ取り外し可能に取り付けられていることを特徴とする請求項１に記載の歩行訓練用平行棒。
【請求項４】
所定間隔をおいて配置される一対のベース上に、所定間隔をおいて一対の支柱がそれぞれ立設され、前記ベース間で対向する前記支柱の上端間にそれぞれ手摺り棒が平行に配置された歩行訓練用平行棒において、
前記支柱の上部に屈曲部が形成され、前記ベース上に立設された前記一対の支柱の間隔が６２ｃｍ以上であり、前記一対の手摺り棒の間隔及び車椅子の最大幅よりも広く構成され、
前記ベースは前記手摺り棒の長さ方向における両端がテーパー状に形成されており、
前記屈曲部に上部補強部材が設けられており、
前記手摺り棒の長手方向への前記車椅子の移動が自在である、ことを特徴とする歩行訓練用平行棒。
【請求項５】
前記支柱の下部は下部補強部材によって補強されていることを特徴とする請求項１又は４に記載の歩行訓練用平行棒。
【請求項６】
前記下部補強部材は、一辺が前記支柱の下部に直接的に或いは間接的に接続し、他の一辺が前記ベースに接続した板状部材であることを特徴とする請求項５に記載の歩行訓練用平行棒。
【請求項７】
前記下部補強部材が円錐台状部材であることを特徴とする請求項５に記載の歩行訓練用平行棒。
【請求項８】
前記支柱は中空の下部支柱と、前記下部支柱内を摺動可能な上部支柱とから構成され、
前記上部支柱には、固定用ピンが挿入されて前記支柱の長さを調節する調節孔が所定の間隔をおいて直線上に複数設けられ、
それぞれの前記調節孔の近傍に文字或いは記号が付されていることを特徴とする請求項１又は４に記載の歩行訓練用平行棒。
【請求項９】
前記文字或いは前記記号が前記上部支柱に刻印されていることを特徴とする請求項８に記載の歩行訓練用平行棒。
【発明の詳細な説明】
【技術分野】
【０００１】
本発明は、歩行訓練用平行棒に関する。
【背景技術】
【０００２】
歩行訓練機は、高齢者や足腰の不自由な人、或いは、手術後の患者等、歩行障害者のリハビリテーションにおいて多く採用され、なかでも歩行訓練用平行棒は歩行訓練の補助をなす器具として多くのリハビリテーション施設で活用されている。
【０００３】
一般的な歩行訓練用平行棒は、特許文献１に代表されるように、平行に配置された２本の手摺り棒が、それぞれの手摺り棒の両端部に固定された支柱によって支持された構造である。２本の手摺り棒の間隔は、訓練者が掴まって歩行し易いよう、人間の肩幅程度（５５ｃｍ程度）に設定される。２本の手摺り棒の間隔が狭いと、２本の手摺り棒の間を訓練者が通過することができず、また、間隔が広いと、訓練者が脇を広げて手摺り棒を掴むこととなり、体を支えるために加える鉛直方向への力を十分に掛けられず、歩行が困難になるからである。そして、訓練者が鉛直方向に力を掛けて体を支えるので、鉛直方向の荷重を支持できるよう、支柱は手摺り棒から鉛直下方向に延びた構造である。
【０００４】
歩行障害者が歩行訓練用平行棒を利用して歩行訓練をしている最中、歩行訓練用平行棒の途中で歩行継続が難しくなり、前進も後退もできなくなり、歩行訓練用平行棒内からの救助を要する場合が多々起こる。この場合、すぐさま車椅子に乗車させる必要がある。
【０００５】
しかし、特許文献１に代表される従来の歩行訓練用平行棒では、車椅子を一対の手摺り棒の間を通して訓練者のところまで運ぶことができないという問題がある。手摺り棒を支持する一対の支柱の間隔が、車椅子の幅よりも狭く、車椅子が支柱の間を通過しないためである。
【０００６】
このような問題に対応可能な歩行訓練用平行棒として、特許文献２に示されるように、一対の手摺り棒の間隔よりも一対の支柱の間隔が広いものが開示されている。
【先行技術文献】
【特許文献】
【０００７】
【特許文献１】特開２００２−３１５７９４号公報
【特許文献２】特開２００２−３４５９９５号公報
【発明の概要】
【発明が解決しようとする課題】
【０００８】
特許文献２に開示されている歩行訓練用平行棒は、一対の支柱の上部を屈曲させることによって、一対の平行棒の間隔よりも一対の支柱の間隔を広くしている。この支柱は内部が中空のパイプで構成されていることから、強度上の問題がある。
【０００９】
具体的に説明すると、通常、訓練者は自己の体重を支えるために、平行棒に鉛直方向へ荷重を掛けつつ歩行訓練を行うことになる。この際に加わる荷重は、支柱の最も強度の弱い箇所である屈曲箇所に集中する。屈曲箇所の内部が中空構造では、この荷重に耐えられず、支柱が折れ曲がってしまう。
【００１０】
本発明は上記事項に鑑みてなされたものであり、その目的とするところは、歩行訓練中に平行棒の途中で歩行継続が困難になった際、訓練者の所まで車椅子を運搬でき、且つ、訓練者が平行棒に鉛直方向へ力を加えても、支柱が折れ曲がることのない機械的強度に優れた歩行訓練用平行棒を提供することにある。
【課題を解決するための手段】
【００１１】
本発明の第１の態様に係る歩行訓練用平行棒は、
所定間隔をおいて配置される一対のベース上に、所定間隔をおいて一対の支柱がそれぞれ立設され、前記ベース間で対向する前記支柱の上方間にそれぞれ手摺り棒が平行に配置された歩行訓練用平行棒において、
前記支柱の上端と前記手摺り棒とが、屈曲部を有する上部補強部材を介して接続されて、前記ベース上に立設された前記一対の支柱の間隔が６２ｃｍ以上であり、前記一対の手摺り棒の間隔及び車椅子の最大幅よりも広く構成され、
前記ベースは前記手摺り棒の長さ方向における両端がテーパー状に形成されており、
前記手摺り棒の長手方向への前記車椅子の移動が自在である、ことを特徴とする。
【００１２】
また、前記上部補強部材は、金属棒から構成されていてもよい。
【００１３】
また、前記上部補強部材の両端が前記手摺り棒及び前記支柱に締結具を介してそれぞれ取り外し可能に取り付けられていてもよい。
【００１４】
本発明の第２の態様に係る歩行訓練用平行棒は、
所定間隔をおいて配置される一対のベース上に、所定間隔をおいて一対の支柱がそれぞれ立設され、前記ベース間で対向する前記支柱の上端間にそれぞれ手摺り棒が平行に配置された歩行訓練用平行棒において、
前記支柱の上部に屈曲部が形成され、前記ベース上に立設された前記一対の支柱の間隔が６２ｃｍ以上であり、前記一対の手摺り棒の間隔及び車椅子の最大幅よりも広く構成され、
前記ベースは前記手摺り棒の長さ方向における両端がテーパー状に形成されており、
前記屈曲部に上部補強部材が設けられており、
前記手摺り棒の長手方向への前記車椅子の移動が自在である、ことを特徴とする。
【００１５】
また、前記支柱の下部は下部補強部材によって補強されていてもよい。
【００１６】
また、前記下部補強部材は、一辺が前記支柱の下部に直接的に或いは間接的に接続し、他の一辺が前記ベースに接続した板状部材であってもよい。
【００１７】
また、前記下部補強部材が円錐台状部材であってもよい。
【００１８】
また、前記支柱は中空の下部支柱と、前記下部支柱内を摺動可能な上部支柱とから構成され、
前記上部支柱には、固定用ピンが挿入されて前記支柱の長さを調節する調節孔が所定の間隔をおいて直線上に複数設けられ、
それぞれの前記調節孔の近傍に文字或いは記号が付されていてもよい。
【００１９】
また、前記文字或いは前記記号が前記上部支柱に刻印されていてもよい。
【発明の効果】
【００２０】
本発明に係る歩行訓練用平行棒では、平行に配置された一対の手摺り棒の間隔よりも、ベース上に立設された一対の支柱の間隔が広く構成されている。このため、歩行訓練者が歩行訓練中に歩行訓練用平行棒の途中で歩行継続が困難になった際にも、歩行訓練者の所まで車椅子を運搬し、歩行訓練者を介助することができる。
【００２１】
更に、支柱の上端と手摺り棒とは、機械的強度の高い補強部材によって接続されているので、歩行訓練者が手摺り棒に鉛直方向へ力を加えても、支柱が折れ曲がることがなく、歩行訓練者は安心して歩行訓練を行うことができる。
【図面の簡単な説明】
【００２２】
【図１】歩行訓練用平行棒の外観斜視図である。
【図２】歩行訓練用平行棒の正面図である。
【図３】歩行訓練用平行棒の側面図である。
【図４】上部補強部材の部分断面図である。
【図５】下部補強部材の部分拡大図である。
【図６】使用時に歩行訓練用平行棒に掛かる力の方向を示す模式図である。
【図７】車椅子が歩行訓練用平行棒内を通過している状態を示す模式図である。
【図８】他の実施の形態に係る歩行訓練用平行棒の部分断面図である。
【図９】他の実施の形態に係る歩行訓練用平行棒の部分断面図である。
【図１０】他の実施の形態に係る上部補強部材の正面図である。
【図１１】他の実施の形態に係る歩行訓練用平行棒の部分断面図である。
【図１２】他の実施の形態に係る歩行訓練用平行棒の部分拡大図である。
【図１３】他の実施の形態に係る歩行訓練用平行棒の部分拡大図である。
【発明を実施するための形態】
【００２３】
以下、図を参照しつつ、実施の形態に係る歩行訓練用平行棒について説明する。図１〜図３に示すように、歩行訓練用平行棒１は、所定間隔をおいて配置された一対のベース４１ａ、４１ｂと、ベース４１ａ、４１ｂ上に所定間隔をおいてそれぞれ立設された一対の支柱２１ａ〜２１ｄと、ベース４１ａ、４１ｂ間で対向する支柱２１ａ〜２１ｄの上方間に平行配置された手摺り棒１１ａ、１１ｂと、手摺り棒１１ａ、１１ｂと支柱２１ａ〜２１ｄとを接続する上部補強部材３１ａ〜３１ｄとから構成される。
【００２４】
一対のベース４１ａ、４１ｂは、支柱２１ａ〜２１ｄの下端がそれぞれ接続され、歩行訓練用平行棒１全体を支持する土台である。一対のベース４１ａ、４１ｂは、それぞれ略直方形の板状部材から構成され、手摺り棒１１ａ、１１ｂの長さ方向に対向配置されている。
【００２５】
ベース４１ａ、４１ｂには、支柱２１ａ〜２１ｄの下端を挿入するための、筒状の固定部４２ａ〜４２ｄが設けられている。固定部４２ａ〜４２ｄには、それぞれねじ孔（不図示）が形成され、このねじ孔と同じピッチのねじが設けられた留め具４４ａ〜４４ｄが備えられている。固定部４２ａ〜４２ｄに支柱２１ａ〜２１ｄの下端を挿入し、留め具４４ａ〜４４ｄを締めることで、ねじの端部が支柱２１ａ〜２１ｄに当接して押圧し、支柱２１ａ〜２１ｄがグラつかないように固定される。
【００２６】
また、ベース４１ａ、４１ｂは、手摺り棒１１ａ、１１ｂの長さ方向における両端が、歩行訓練者が足を躓いたりすることがないように、また、車椅子を通過させる際に車輪が引っかからないように、テーパー状に形成されている。
【００２７】
支柱２１ａ〜２１ｄは、下端がベース４１ａ、４１ｂに接続し、上端が手摺り棒１１ａ、１１ｂに間接的に接続して手摺り棒１１ａ、１１ｂを支持する役割を有する。
【００２８】
一対の支柱２１ａ、２１ｂは、ベース４１ａ上に立設され、また、他の一対の支柱２１ｃ、２１ｄは、ベース４１ｂ上に立設されており、支柱２１ａ、２１ｂの間隔と支柱２１ｃ、２１ｄの間隔は同じに設定されている。支柱２１ａと支柱２１ｂの間隔、及び、支柱２１ｃと支柱２１ｄの間隔は、車椅子が通過し得るよう、車椅子の最大幅よりも広く設定される。一般的な車椅子の最大幅は６２ｃｍであるので、支柱２１ａと支柱２１ｂの間隔、及び、支柱２１ｃと支柱２１ｄの間隔は少なくとも６２ｃｍより広くするとよい。
【００２９】
支柱２１ａは、上部支柱２２ａ、下部支柱２３ａ、及び、上部支柱２２ａと下部支柱２３ａとを任意の位置で固定する固定具２５ａから構成されている。上部支柱２２ａ及び下部支柱２３ａは、それぞれ断面が円形状で内部が中空のパイプから構成されている。上部支柱２２ａの径は、下部支柱２３ａの径よりも小さく、上部支柱２２ａが下部支柱２３ａの内部を摺動可能に構成されている。
【００３０】
上部支柱２２ａには、長さ方向に複数の調節孔２４ａが設けられている。この調節孔２４ａのいずれかに固定用ピン２６ａを貫通させ、上部支柱２２ａからはみ出した固定用ピン２６ａの両端が下部支柱２３ａに当接して支えられることで、支柱２１ａを任意の長さに調節可能にしている。更に、下部支柱２３ａの上部には、クランプ構造の固定具２５ａが設置されている。固定具２５ａに設けられたレバーを回動させて、下部支柱２３ａの外周を押圧することで、内部にはめ込まれた上部支柱２２ａがグラつくことがないよう固定される。
【００３１】
このような構成により、支柱２１ａの長さを任意の長さに変更することができ、支柱上方に配置される手摺り棒１１ａ、１１ｂは歩行訓練者の体格にあった適切な高さに配置される。
【００３２】
なお、下部支柱２３ａの内部を上部支柱２２ａが摺動可能な形態について説明したが、上部支柱２２ａの内部を下部支柱２３ａが摺動可能な形態としてもよい。また、上記では代表として支柱２１ａについて説明したが、支柱２１ｂ〜２１ｄの構造も、支柱２１ａと同様の構造である。
【００３３】
一対の手摺り棒１１ａ、１１ｂは、断面が円形状で剛性の高い素材、例えばステンレス等の金属素材から構成されている。手摺り棒１１ａは、支柱２１ａ、２１ｃの上方に配置され、また、手摺り棒１１ｂは、支柱２１ｂ、２１ｄの上方に配置されており、手摺り棒１１ａ、１１ｂは同一水平面上に所定間隔をもって平行に配置されている。
【００３４】
手摺り棒１１ａ、１１ｂの間隔は、歩行訓練者が掴んで歩行を行いやすい最適な間隔に設定される。具体的には、歩行訓練者は自己の体重を支えるため、両腕を下方に伸ばして手摺り棒１１ａ、１１ｂを掴み略鉛直下方向に力を掛けるので、手摺り棒１１ａ、１１ｂの間隔は、人の肩幅程度、凡そ５５ｃｍ程度に設定される。
【００３５】
上部支柱２２ａ、２２ｃの上端と手摺り棒１１ａの下方、また、上部支柱２２ｂ、２２ｄの上端と手摺り棒１１ｂの下方とは、それぞれ上部補強部材３１ａ〜３１ｄによって、接続されている。上部補強部材３１ａ〜３１ｄは、断面円形状で、二段階に屈曲されて形成されている。上部補強部材３１ａ〜３１ｄがそれぞれ屈曲して形成されていることにより、図２に示すように支柱２１ａと支柱２１ｂとの間隔（支柱２１ｃと２１ｄとの間隔）Ｗ２が、一対の手摺り棒１１ａ、１１ｂの間隔Ｗ１よりも広く構成されている。
【００３６】
上部補強部材３１ａ〜３１ｄは、図４の部分断面図に示すように、内部が中空ではない、所謂無垢の金属棒から構成されている。したがって、上部補強部材３１ａ〜３１ｄは、機械的強度に優れるので、負荷が掛かっても曲がることがない。
【００３７】
上部補強部材３１ａ〜３１ｄの上部は、手摺り棒１１ａ、１１ｂの鉛直下方向に延在していることが好ましい。例えば、手摺り棒１１ａ、１１ｂに対して上部補強部材３１ａ〜３１ｄが水平方向に突出していると、歩行訓練者の指が上部補強部材３１ａ〜３１ｄに引っかかってしまい、歩行訓練を妨げてしまうからである。
【００３８】
また、上部補強部材３１ａ〜３１ｄの手摺り棒１１ａ、１１ｂ側に形成された屈曲箇所は、歩行訓練者の指が引っかからない程度に、手摺り棒１１ａ、１１ｂからできるだけ近い箇所に設けられることが好ましい。車椅子を通過させる際に、車椅子の背もたれや、介護者が操作するハンドル等、車椅子の上部の部材がぶつからないようにするためである。
【００３９】
上部補強部材３１ａ〜３１ｄとして、二段階に屈曲した金属棒を用いるほか、Ｌ字状の金属棒を２つ接合して用いてもよい。
【００４０】
また、図５に示すように、下部支柱２３ａ〜２３ｄの下部は、負荷が掛かっても倒れることがないよう、下部補強部材４３ａ〜４３ｄによって、間接的に補強されている。下部補強部材４３ａ〜４３ｄは、三角板状の補強部材であり、金属板等、強度の高い素材から構成されており、下部補強部材４３ａ〜４３ｄの一辺が固定部４２ａ〜４２ｄに固定され、他の一辺がベース４１ａ、４１ｂに固定されている。これにより、支柱２１ａ〜２１ｄが手摺り棒１１ａ、１１ｂ側に倒れることを抑制している。
【００４１】
下部補強部材４３ａ〜４３ｄは、手摺り棒１１ａ、１１ｂの間を歩行訓練者や車椅子が通過する際に引っかからないよう、平面視で手摺り棒１１ａ、１１ｂと逆方向へ、言い換えるとベース４１ａ、４１ｂの端部に向けて張り出すように固定されていることが好ましい。
【００４２】
続いて、歩行訓練用平行棒１の使用状況について説明する。
【００４３】
図６は、歩行訓練の際に歩行訓練用平行棒１に加わる力の方向を模式的に示した図である。歩行訓練者は、歩行訓練を行う際、腕５１を略鉛直下方向に伸ばして手摺り棒１１ａを掴んで行う。この際、歩行訓練者が自己の体重を支えるため、手摺り棒１１ａには墨矢印の如く鉛直下方向に荷重が掛かる。
【００４４】
支柱２１ａは手摺り棒１１ａの直下に立設していないので、上述のように手摺り棒１１ａに力が加わると、白矢印で示すように、支柱２１ａには歩行訓練者の方向へ倒れる力が加わることになる。
【００４５】
しかし、本実施の形態における歩行訓練用平行棒１では、支柱２１ａ上端が上部補強部材３１ａを介して手摺り棒１１ａに接続されており、また、支柱２１ａ下部が下部補強部材４３ａによって補強されているので、支柱２１ａが折れ曲がったり倒れたりすることが抑制される。これにより、歩行訓練者は安心して歩行訓練を行うことができる。
【００４６】
図７は、車椅子６１が歩行訓練用平行棒１の一対の手摺り棒１１ａ、１１ｂ間を通過する状況を示している。支柱２１ａと支柱２１ｂとの間隔Ｗ２が車椅子６１の両車輪の幅Ｗ３よりも広く設定されているので、車椅子６１の手摺り棒１１ａ、１１ｂの長手方向への移動が自在である。
【００４７】
また、上部補強部材３１ａ、３１ｂは、手摺り棒１１ａ、１１ｂからすぐに屈曲させているので、車椅子６１の背もたれ等、車椅子６１の上部が上部補強部材３１ａ，３１ｂに引っかかることもなく、手摺り棒１１ａ、１１ｂに沿ってスムーズに車椅子６１を前後動させることができる。
【００４８】
したがって、歩行訓練者が歩行訓練用平行棒１を利用して歩行訓練をしている最中、手摺り棒１１ａ、１１ｂの途中で歩行継続が難しくなり、前進も後退もできなくなった場合でも、すぐさま車椅子６１を歩行訓練者のところまで運んで救助することができる。
【００４９】
更に、一対のベース４１ａ、４１ｂは、手摺り棒１１ａ、１１ｂの長手方向の両端がテーパー状に形成されているため、車椅子６１の車輪が引っかかることが無く、車椅子６１の進入や、脱出を妨げることもない。更に、ベース４１ａ、４１ｂがテーパー状に形成されているため、歩行訓練者が車椅子に乗ったままベース４１ａ、４１ｂを乗り越えて手摺り棒１１ａ、１１ｂを掴める位置まで進入することができ、介護者のサポート無しでも歩行訓練を始めることもできる。
【００５０】
上部補強部材３１ａは、上記実施の形態に限定されるものではなく、種々の態様を取りうる。例えば、図８に示すように、上部支柱２２ａ内部が中空構造であり、上部支柱２２ａの上部が屈曲されており、支柱２１ａ、２１ｂの間隔を手摺り棒１１ａ、１１ｂの間隔よりも広く構成した場合、この屈曲部の内部に、上部補強部材３２ａが設けられた形態でもよい。
【００５１】
また、同様に上部支柱２２ａが中空構造の場合、図９に示すように、上部支柱２２ａの屈曲部に三角板状の上部補強部材３３ａを設けた形態でもよい。この場合、歩行訓練者が手摺り棒１１ａを掴む際に指が引っかからないよう、また、車椅子６１を通過させる際に背もたれ等が引っかかることがないようにするとよい。
【００５２】
また、上部補強部材は、図１０、図１１の一例に示すように取り外し可能な形態であってもよい。図１０は、上部補強部材３４ａの正面図であり、また、図１１は、上部補強部材３４ａを用いて構成した歩行訓練用平行棒の部分断面図である。
【００５３】
上部補強部材３４ａの手摺り棒１１ａに当接する面は、手摺り棒１１ａの外周面に合わせ、湾曲している。また、上部補強部材３４ａの上部支柱２２ａに接続する端部には、突出した挿入部３５ａが形成されている。挿入部３５ａは、上部補強部材３４ａが所定の角度で挿入されるよう、また、使用時に回転しないように、矩形等、非円形状に形成されている。上部補強部材３４ａの両端には、それぞれネジ３８ａ、３９ａが挿入される貫通孔３６ａ、３７ａが設けられている。
【００５４】
そして、手摺り棒１１ａ、及び、上部支柱２２ａは以下のように構成されている。手摺り棒１１ａには、貫通孔３６ａに対応する箇所にネジ穴が形成されている。また、上部支柱２２ａの上部には、接続部材４０ａが設けられており、この接続部材４０ａには、上部補強部材３４ａの挿入部３５ａと同形状の凹部が形成され、更に、貫通孔３７ａに対応する位置にネジ穴が形成されている。
【００５５】
そして、図１１に示すように、手摺り棒１１ａに設けられたネジ穴、及び、ネジ３８ａとの螺合により、上部補強部材３４ａと手摺り棒１１ａとが固定される。また、接続部材４０ａに設けられたネジ穴、及び、ネジ３９ａとの螺合により、上部補強部材３４ａと上部支柱２２ａの接続部材４０ａとが固定される。
【００５６】
以上の構成により、歩行訓練用平行棒１は、組み立て、分解を容易に行うことができる。分解してコンパクトにすることができるので、他の場所へ容易に運搬することができる。
【００５７】
また、同様の構成で長さの異なる手摺り棒１１ａ、１１ｂを準備していれば、設置場所の広さや訓練者のレベルに応じて適宜適当な長さの手摺り棒１１ａ、１１ｂを用いて、歩行訓練用平行棒１を組み立てて使用することも可能である。
【００５８】
また、支柱２１ａ〜２１ｄが上部支柱２２ａ〜２２ｄと下部支柱２３ａ〜２３ｄから構成され、支柱２１ａ〜２１ｄの長さを調節可能な構成にした場合、図１２に示すように、上部支柱２２ａ〜２２ｄに設けられた調節孔２４ａ〜２４ｄ近傍に、文字或いは記号が付されているとよい。
【００５９】
４本の上部支柱２２ａ〜２２ｄのそれぞれには、所定の間隔をおいて、調節孔２４ａ〜２４ｄが直線上に設けられている。そして、最も上（手摺り棒１１ａ、１１ｂ側）に位置する調節孔２４ａ〜２４ｄから、数字２７ａ〜２７ｂが順に付されている。
【００６０】
４本の上部支柱２２ａ〜２２ｄに設けられた調節孔２４ａ〜２４ｄは全て等間隔であり、また、それぞれの調節孔２４ａ〜２４ｄには、全て同様に数字２７ａ〜２７ｄが付されているので、同じ数字２７ａ〜２７ｄが付されている調節孔２４ａ〜２４ｄにそれぞれ固定用ピン２６ａ〜２６ｄを挿入することで、容易に全ての支柱２２ａ〜２２ｄの長さを揃えることができる。
【００６１】
それぞれの支柱２１ａ〜２１ｄは、離間して立設しており、特に、ベース４１ａ、４１ｂで対向して配置される支柱２１ａ、２１ｃ、及び、支柱２１ｂ、２１ｄは、それぞれ１０ｍ以上離間する場合がある。このように支柱２１ａ〜２１ｄがそれぞれ離間するので、調節孔２４ａ〜２４ｄの数を数えて固定用ピン２６ａ〜２６ｄを挿入しても数え間違い等によって支柱２１ａ〜２１ｄの高さが揃わないことがある。また、調節孔２４ａ〜２４ｄのピッチは３〜５ｃｍ程度と短く、更に、支柱２１ａ〜２１ｄがそれぞれ離間しているので、目視ですべての支柱２１ａ〜２１ｄの高さが揃っているかを確認することは困難である。しかし、調節孔２４ａ〜２４ｄの近傍に数字２７ａ〜２７ｄが付されていることで、容易に全ての支柱２２ａ〜２２ｄを所望の長さに揃えることができる。
【００６２】
なお、数字２７ａ〜２７ｄは、調節孔２４ａ〜２４ｄの上方にそれぞれ付されているとよい。このような構成により、どの調節孔２４ａ〜２４ｄに固定用ピン２６ａ〜２６ｄを挿入しているか容易に確認することができる。もし、調節孔２４ａ〜２４ｄの下方に数字２７ａ〜２７ｄが付されていると、数字２７ａ〜２７ｄが固定具２５ａ〜２５ｄで隠れることになり、一見してどの調節孔２４ａ〜２４ｄを利用して支柱２１ａ〜２１ｄの長さを調節しているのか解りづらくなる。
【００６３】
また、図１２に示す数字２７ａ〜２７ｄの他、アルファベット等、種々の文字や記号であってもよい。また、文字や記号は、シール等の貼着や印字等でもよいが、高さ調節を繰り返す際に剥がれたり、消えたりする可能性があるので、耐久性の観点から上部支柱２２ａ〜２２ｄに刻印して設けることが好ましい。刻印は公知の工作機械等で形成すればよい。
【００６４】
また、上記では支柱２１ａ〜２１ｄとベース４１ａ、４１ｂとを分離可能な形態であるが、分離不可能な一体構造の場合には、支柱２１ａ〜２１ｄとベース４１ａ、４１ｂとに下部補強部材４３ａ〜４３ｄを直接固定して、支柱２１ａ〜２１ｄを補強する形態であってもよい。
【００６５】
更に、下部補強部材４３ａ〜４３ｄについて、上記では三角板状の下部補強部材４３ａ〜４３ｄを用いているが、これに限定されることはなく、例えば、ワイヤーや締結具等でベース４１ａ、４１ｂと固定部４２ａ〜４２ｄとを接続して支柱２１ａ〜２１ｄを補強する構造であってもよい。
【００６６】
また、図１３に示すように、円錐台状部材からなる下部補強部材４５ａとしてもよい。下部補強部材４５ａは、底面がベース４１ａに固定され、下部支柱２３ａの下部を全周に渡って囲うように形成されている。下部支柱２３ａの下部を全周に渡って支持しているので、支柱２１ａ〜２１ｄが手摺り棒１１ａ、１１ｂが近接する方向へ倒れようとする負荷が掛かる場合の他、あらゆる方向に負荷が掛かっても、支柱２１ａ〜２１ｄが倒れることがないよう支持することができる。
【００６７】
下部補強部材４５ａは、支柱２１ａを挿入できるように、支柱挿入用の穴が設けられた構成であってもよい。そして、支柱２１ａを下部補強部材４５ａから脱着自在の形態としてもよい。これにより、上述した取り外し可能な上部補強部材３４ａ〜３４ｄと相まって、分解してコンパクトにすることができる。従って、歩行訓練用平行棒１を他の場所で使用したい場合でも、容易に分解して運搬し、所望の場所で組み立てて使用することが容易となる。
【００６８】
また、支柱２１ａ〜２１ｄの長さが調節可能な構成について説明したが、支柱２１ａ〜２１ｄは長さ固定で分割不可能な形態であってもよい。
【産業上の利用可能性】
【００６９】
上記の歩行訓練用平行棒は、高齢者や足腰の不自由な人、或いは、手術後の患者等、歩行障害者のリハビリテーションに用いることができ、病院やリハビリテーションセンター等で利用可能である。
【符号の説明】
【００７０】
１            歩行訓練用平行棒
１１ａ、１１ｂ  手摺り棒
２１ａ〜２１ｄ  支柱
２２ａ〜２２ｄ  上部支柱
２３ａ〜２３ｄ  下部支柱
２４ａ〜２４ｄ  調節孔
２５ａ〜２５ｄ  固定具
２６ａ〜２６ｄ  固定用ピン
２７ａ〜２７ｄ  数字
３１ａ〜３１ｄ  上部補強部材
３２ａ          上部補強部材
３３ａ          上部補強部材
３４ａ          上部補強部材
３５ａ          挿入部
３６ａ          貫通孔
３７ａ          貫通孔
３８ａ          ネジ
３９ａ          ネジ
４０ａ          接続部材
４１ａ、４２ｂ  ベース
４２ａ〜４２ｄ  固定部
４３ａ〜４３ｄ  下部補強部材
４４ａ〜４４ｄ  留め具
４５ａ          下部補強部材
５１            腕
６１            車椅子
Ｗ１            一対の手摺り棒の間隔
Ｗ２            一対の支柱の間隔
Ｗ３            車椅子の両車輪の間隔
【図１】
0005441031.tif 000002
【図２】
0005441031.tif 000003
【図３】
0005441031.tif 000004
【図４】
0005441031.tif 000005
【図５】
0005441031.tif 000006
【図６】
0005441031.tif 000007
【図７】
0005441031.tif 000008
【図８】
0005441031.tif 000009
【図９】
0005441031.tif 000010
【図１０】
0005441031.tif 000011
【図１１】
0005441031.tif 000012
【図１２】
0005441031.tif 000013
【図１３】
0005441031.tif 000014